(57)【要約】【課題】光ディスク再生時に管理情報を書き換える等の処理により、再生中の再生速度の変更に対しても円滑な処理を可能とする光ディスク装置を提供する。【解決手段】複数のチャプタ中の、ＮＶ＿ＰＣＫとコンテンツ情報とをもつＶＯＢＵ単位に情報を検出する検出部５４を有し、前段制御部６１においては、再生指示に応じ一つのＶＯＢＵを取得し、このＮＶ＿ＰＣＫ中に現在の再生倍率に応じたアドレスがない場合は、アドレスなきことをＮＶ＿ＰＣＫのリザーブ領域に書き込み、コンテンツ情報と共にバッファに格納し、後段制御部６２においては、ＮＶ＿ＰＣＫを読出し、アドレスがなければ、チャプタの終了位置と認識して、前段制御部に次のチャプタの読出しを指示する光ディスク装置であり、スムーズな再生処理が可能となる。【選択図】    図１
2004362694.tif 000002
【特許請求の範囲】
【請求項１】
複数の領域に、管理情報とこれに応じるコンテンツ情報とからなる情報単位を複数格納している光ディスクから、前記領域の一つの中の一つの情報単位を検出する検出部と、
前記管理情報の中の現在の再生倍率に応じたアドレスに応じて情報単位をバッファに格納していき、取得すべき次の情報単位のアドレスがない場合は、アドレスがないことを前記管理情報の所定領域に書き込んだ上でこの管理情報とコンテンツ情報を前記バッファに格納し、開始指示があるまで情報単位の取得を行わず待機する第１制御部と、
前記バッファに格納された前記管理情報とコンテンツ情報とを読み出し、前記管理情報の前記所定領域の中にアドレスがないとされていれば、前記光ディスクの次の領域の情報の取得を開始するべく、前記第１制御部に前記開始指示を与える第２制御部と、
前記第２制御部の制御により前記バッファから読み出された前記コンテンツ情報を復号して再生する再生部と、を具備することを特徴とする光ディスク装置。
【請求項２】
前記領域はチャプタ、前記情報単位はＶＯＢＵ、前記管理情報はＮＶ＿ＰＣＫであることを特徴とする請求項１記載の光ディスク装置。
【請求項３】
前記管理情報の所定領域は、リザーブ領域であることを特徴とする請求項１記載の光ディスク装置。
【請求項４】
前記第１制御部は、前記検出部が検出した前記管理情報の中に現在の再生倍率に応じて次に取得すべき情報単位のアドレスがない場合は、リザーブ領域を“ＦＦ”に書き換えることを特徴とする請求項１記載の光ディスク装置。
【請求項５】
複数の領域に、管理情報とこれに応じるコンテンツ情報とからなる情報単位を複数格納している光ディスクから、前記領域の一つの中の一つの情報単位を検出する検出部と、
前記情報単位に含まれる前記管理情報の所定領域に検出時の再生倍率を書き込んで、この管理情報とコンテンツ情報をバッファに格納していき、取得すべき次の情報単位のアドレスがない場合は、開始指示があるまで情報単位の取得を行わず待機する第１制御部と、
前記バッファに格納された前記管理情報とコンテンツ情報とを読み出し、前記管理情報の前記所定領域から検出時の再生倍率を読み出し、これに応じたアドレスが読み出した前記管理情報の中にない場合、前記光ディスクの次の領域の情報の取得を開始するべく、前記第１制御部に前記開始指示を与える第２制御部と、
前記第２制御部の制御により前記バッファから読み出された前記コンテンツ情報を復号して再生する再生部と、を具備することを特徴とする光ディスク装置。
【請求項６】
前記領域はチャプタ、前記情報単位はＶＯＢＵ、前記管理情報はＮＶ＿ＰＣＫであることを特徴とする請求項５記載の光ディスク装置。
【請求項７】
前記管理情報の所定領域は、リザーブ領域であることを特徴とする請求項５記載の光ディスク装置。
【請求項８】
複数の領域に、管理情報とこれに応じるコンテンツ情報とからなる情報単位を複数格納している光ディスクから、前記領域の一つの中の一つの情報単位を検出する検出部と、
前記情報単位に含まれる管理情報とコンテンツ情報をバッファに格納していき、取得すべき次の情報単位のアドレスがない場合は、前記領域の最終の情報単位を前記検出部を用いて取得して前記バッファに格納し、開始指示があるまで情報単位の取得を行わず待機する第１制御部と、
前記バッファに格納された前記管理情報とコンテンツ情報とを読み出し、前記管理情報の中の１倍速に応じたアドレスが前記管理情報の中にない場合、前記光ディスクの次の領域の情報の取得を開始するべく、前記第１制御部に前記開始指示を与える第２制御部と、
前記第２制御部の制御により前記バッファから読み出された前記コンテンツ情報を復号して再生する再生部と、を具備することを特徴とする光ディスク装置。
【請求項９】
前記領域はチャプタ、前記情報単位はＶＯＢＵ、前記管理情報はＮＶ＿ＰＣＫであることを特徴とする請求項８記載の光ディスク装置。
【請求項１０】
前記第１制御部は、前記検出部を用いて前記光ディスクから取得した前記複数の領域に関する領域管理情報により、前記領域の最終の情報単位のアドレスを取得し、これに応じて、前記領域の最終の情報単位を前記検出部を用いて取得することを特徴とする請求項８記載の光ディスク装置。
【請求項１１】
複数の領域に、管理情報とこれに応じるコンテンツ情報とからなる情報単位を複数格納している光ディスクから、再生指示に応じて、前記領域の一つの中の一つの情報単位を取得し、
前記情報単位の中の前記管理情報の中の現在の再生倍率に応じたアドレスに応じて情報単位をバッファに格納していき、取得すべき次の情報単位のアドレスがない場合は、アドレスがないことを前記管理情報の所定領域に書き込んだ上でこの管理情報とコンテンツ情報を前記バッファに格納し、開始指示があるまで情報単位の取得を行わず待機し、
前記バッファに格納された前記管理情報とコンテンツ情報とを読み出し、前記管理情報の前記所定領域の中にアドレスがないとされていれば、前記光ディスクの次の領域の情報の取得を開始するべく、前記開始指示を与え、
前記バッファから読み出された前記コンテンツ情報を復号して再生する、
ことを特徴とする光ディスク処理方法。
【請求項１２】
前記領域はチャプタ、前記情報単位はＶＯＢＵ、前記管理情報はＮＶ＿ＰＣＫであることを特徴とする請求項１１記載の光ディスク処理方法。
【請求項１３】
前記管理情報の所定領域は、リザーブ領域であることを特徴とする請求項１１記載の光ディスク処理方法。
【請求項１４】
前記制御において、前記管理情報の中に現在の再生倍率に応じて取得すべき次の情報単位のアドレスがない場合は、リザーブ領域を“ＦＦ”に書き換えることを特徴とする請求項１１記載の光ディスク処理方法。
【請求項１５】
複数の領域に、管理情報とこれに応じるコンテンツ情報とからなる情報単位を複数格納している光ディスクから、再生指示に応じて、前記領域の一つの中の一つの情報単位を取得し、
前記情報単位に含まれる前記管理情報の所定領域に検出時の再生倍率を書き込んで、この管理情報とコンテンツ情報をバッファに格納していき、取得すべき次の情報単位のアドレスがない場合は、開始指示があるまで情報単位の取得を行わず待機し、
前記バッファに格納された前記管理情報とコンテンツ情報とを読み出し、前記管理情報の前記所定領域から検出時の再生倍率を読み出し、これに応じたアドレスが読み出した前記管理情報の中にない場合、前記光ディスクの次の領域の情報の取得を開始するべく、前記開始指示を与え、
前記バッファから読み出された前記コンテンツ情報を復号して再生する、
ことを特徴とする光ディスク処理方法。
【請求項１６】
前記領域はチャプタ、前記情報単位はＶＯＢＵ、前記管理情報はＮＶ＿ＰＣＫであることを特徴とする請求項１５記載の光ディスク処理方法。
【請求項１７】
前記管理情報の所定領域は、リザーブ領域であることを特徴とする請求項１５記載の光ディスク処理方法。
【請求項１８】
複数の領域に、管理情報とこれに応じるコンテンツ情報とからなる情報単位を複数格納している光ディスクから、再生指示に応じて、前記領域の一つの中の一つの情報単位を取得し、
前記情報単位に含まれる管理情報とコンテンツ情報をバッファに格納していき、取得すべき次の情報単位のアドレスがない場合は、前記領域の最終の情報単位を取得して前記バッファに格納し、開始指示があるまで情報単位の取得を行わず待機し、
前記バッファに格納された前記管理情報とコンテンツ情報とを読み出し、前記管理情報の中の１倍速に応じたアドレスが前記管理情報の中にない場合、前記光ディスクの次の領域の情報の取得を開始するべく前記開始指示を与え、
前記バッファから読み出された前記コンテンツ情報を復号して再生する、
ことを特徴とする光ディスク処理方法。
【請求項１９】
前記領域はチャプタ、前記情報単位はＶＯＢＵ、前記管理情報はＮＶ＿ＰＣＫであることを特徴とする請求項１８記載の光ディスク処理方法。
【請求項２０】
前記光ディスクから取得した前記複数の領域に関する領域管理情報により、前記領域の最終の情報単位のアドレスを取得し、これに応じて、前記領域の最終の情報単位を取得することを特徴とする請求項１８記載の光ディスク処理方法。
【発明の詳細な説明】
【０００１】
【発明の属する技術分野】
この発明は、光ディスク装置に関し、特に管理情報（例えばナビパック）に基づいて倍速読み出しを行う光ディスク記録再生装置及び光ディスク処理方法に関する。
【０００２】
【従来の技術】
最近、光ディスク装置の改良・普及が進み、この分野の諸技術においても、高い水準のものが要望されている。この一つとして、１倍速ではなく高倍速で光ディスクのコンテンツを読み出し再生する場合の処理についても、スムーズな再生を要望されてきている。このような変倍速のコンテンツの再生に置いて必要となるのが、バッファメモリの活用である。
【０００３】
これに関連した従来技術として、バッファメモリを利用して、逆方向再生を行う再生装置及び再生方法が示されている（例えば、特許文献１参照）。ここでは、既に読み出され再生済みのデータをバッファメモリに格納しておき、逆方向再生で必要となった場合、これを適宜読み出して再生するものである。
【０００４】
【特許文献１】
特開２０００−１０１９７０号公報。
【０００５】
【発明が解決しようとする課題】
しかし、従来方法においては、バッファメモリが特殊な再生の場合に活用されることは示されているが以下のような本発明の課題について、何ら具体的な解決を与えるものではない。
【０００６】
すなわち、本発明に係る光ディスク装置においては、コンテンツ情報はチャプタ毎にバッファメモリに読み込まれるが、必ずしも全てのコンテンツ情報が読み込まれるわけではない。例えば、４倍速や８倍速であれば、例えば、ナビパック（ＮＶ＿ＰＣＫ）等の管理情報が示すアドレスの再生単位（例えば、ＶＯＢＵ（Ｖｉｄｅｏ  ＯＢｊｅｃｔ  Ｕｎｉｔ））毎に、バッファメモリにコンテンツ情報を取り込むものであり、例えば、１倍速で読み込んだコンテンツ情報でも、４倍速では読み込まれないコンテンツ情報が存在する。
【０００７】
ここで、コンテンツ情報の再生処理においては、読取りバッファ等や制御部（前段）を用いてコンテンツ情報をバッファに取り込む取り込み処理と、その後、読取りバッファからエンコーダ等に含まれるストリーム制御部等を用いて、コンテンツ情報を読み出しエンコードする処理とに分かれる。ストリーム制御部では、例えば、１つのチャプタ内のコンテンツ情報の終了個所を検出し、これを検出すると、再び、前段の制御部に１チャプタの終了位置を伝えている。これに応じて、前段の制御部は、次のチャプタのコンテンツ情報の読み出しを再開するものである。
【０００８】
このように、前段の制御部でコンテンツ情報を取り込む段階と、後段のストリーム制御部でエンコードする段階とは、異なるタイミングで行われるため、このような読み出し処理を行っている際に、ユーザの操作により、例えば、８倍速から１倍速に再生速度を変えられた場合、以下のような不具合が生じる。
【０００９】
すなわち、後段のストリーム制御部でのコンテンツ情報の終了個所の検出において、８倍速から１倍速に再生速度が変えられた場合でも、読出しバッファから与えられるコンテンツ情報は、以前の８倍速で読み取ったコンテンツ情報となってしまう。従って、ストリーム制御部は、現在は１倍速と認識しながら、８倍速で読み出されたコンテンツ情報を対象として、コンテンツ情報の終了個所を検出することとなり、終了個所の検出を失敗するということが起きてくる。
【００１０】
このような不具合を起こさないように、再生速度が変わった段階で、全ての読取りバッファが空になるまで、次のチャプタの読取り動作は行わない等の処理の制限をする必要が出てくる。しかしながら、このような処理の制限は、読取り速度や、再生速度の低下につながるため、再生中に再生速度を変更すると十分な処理速度を得ることができないという問題がある。
【００１１】
本発明は、光ディスクの再生の際に管理情報を適宜書き換える等の処理をすることで、再生中の再生速度の変更に対しても待ち時間のない円滑な処理を可能とする光ディスク装置及び光ディスク処理方法を提供することを目的とする。
【００１２】
【課題を解決するための手段】
本発明は、複数の領域に、管理情報とこれに応じるコンテンツ情報とからなる情報単位を複数格納している光ディスクから、前記領域の一つの中の一つの情報単位を検出する検出部と、前記管理情報の中の現在の再生倍率に応じたアドレスに応じて情報単位をバッファに格納していき、取得すべき次の情報単位のアドレスがない場合は、アドレスがないことを前記管理情報の所定領域に書き込んだ上でこの管理情報とコンテンツ情報を前記バッファに格納し、開始指示があるまで情報単位の取得を行わず待機する第１制御部と、前記バッファに格納された前記管理情報とコンテンツ情報とを読み出し、前記管理情報の前記所定領域の中にアドレスがないとされていれば、前記光ディスクの次の領域の情報の取得を開始するべく、前記第１制御部に前記開始指示を与える第２制御部と、前記第２制御部の制御により前記バッファから読み出された前記コンテンツ情報を復号して再生する再生部とを具備することを特徴とする光ディスク装置である。
【００１３】
本発明は、上述した特徴により、前段制御部（第１制御部）においては、ＮＶ＿ＰＣＫ等の管理情報のリザーブ領域に、４倍速等の再生速度に応じた次にサーチすべきコンテンツのアドレスを書き込むものである。そしでエンコーダのストリーム制御部等の後段制御部（第２制御部）においては、ＮＶ＿ＰＣＫ等の管理情報のリザーブ領域に、次にサーチすべきコンテンツのアドレスがあるかどうかを確認して、あればコンテンツ情報の終了時点ではなく、アドレスがなければコンテンツ情報の終了時点であると判断する。終了時点と判断すれば、前段制御部（第１制御部）に次のチャプタのコンテンツ情報の取得の開始指示を行うものである。
【００１４】
本発明に係る光ディスク装置では、このような方法で、コンテンツ情報の取得の制御や、コンテンツ情報の終了を判断しているため、再生中に再生速度が変更された場合でも、再生速度を誤って終了位置を判断したり、バッファが空になることを待機するということがないため、スムーズな再生処理を行うことができる。
【００１５】
【発明の実施の形態】
以下、図面を参照して本発明の実施形態である光ディスク装置について、詳細に説明する。図１は、本発明の一実施の形態である光ディスク装置の構成を示すブロック図、図２は、読取動作を説明するための説明図、図３は、本発明の一実施の形態である光ディスク装置が扱う管理情報の一例を示す図である。
【００１６】
＜本発明に係る光ディスク装置＞
（基本構成・動作）
図１において、本発明の一実施の形態である光ディスク装置Ａは、記憶領域としてのＲＯＭ・ＲＡＭ６０、全体の動作等を制御する制御部６１を有しており、更に、駆動系として、光ディスクＤを所定回転数で回転させる回転モータＭと、これを制御するサーボ制御部５２とを有している。更に、光ディスクＤに対して、情報の書き込み及び読み出しを行うピックアップヘッドＰＵＨを有しており、これは、少なくとも、対物レンズと、一例として４分割のフォトデテクタＰＤと、レーザを照射するレーザダイオードＬＤとを有している。
【００１７】
又、サーボ制御部５２は、サーボ制御系各処理回路５５が接続されており、サーボ制御系各処理回路５５には、図示しない対物レンズ誘導回路やフォーカス制御回路、対物レンズ駆動信号切替器、対物レンズ駆動回路やウォブル（ＷＢ）信号検出部等が含まれており、フォーカス引き込み動作等を行う。
【００１８】
又、光ディスク装置Ａは、ピックアップヘッドＰＵＨのフォトデテクタＰＤからの検出信号が供給される信号処理部５６と、読取りバッファ５７とを有している。更に、読取りバッファ５７は、外部から与えられる記録すべき信号や、ピックアップヘッドＰＵＨで検出された検出信号に、変調・復調処理やＥＣＣ処理を施すためのデータ処理部５８を有しており、作業領域を提供するＲＡＭ５９や、外部装置との信号の仲介を行うＩ／Ｆ６５等に接続されている。
【００１９】
このような構成において、制御部６１はＲＡＭ６０を作業エリアとして使用し、ＲＯＭ６０に記録された本発明を含むプログラムに従って所定の動作を行う。光ピックアップＰＵＨから出力された光は、光ディスクＤに照射される。光ディスクＤからの反射光は、ヘッドアンプで電気信号に変えられる。この電気信号は、信号処理部５６を介して読取りバッファ５７に格納され、データ処理部１８に入力される。
【００２０】
サーボ制御系各処理回路５５に含まれる、図示しない対物レンズ誘導回路やフォーカス制御回路、対物レンズ駆動信号切替器、対物レンズ駆動回路やウォブル（ＷＢ）信号検出部等は、フォーカス引き込み動作等を行う。
【００２１】
データ書込み動作時は、データ処理部５８が図示しないライトチャンネル回路で作られた書込みクロックを用いて、インターフェース６５を通して供給されるデータに誤り検出符号（ＥＤＣ）やＩＤを付加し、サーボ安定の為のデータスクランブル処理を施し、更に、誤り訂正符号（ＥＣＣ）を付加し、同期信号を付加する。更に、併せて、同期信号以外を変調し、書込みパワー制御部６３に送って、対応メディアに最適なライトストラテジによって、レーザダイオード駆動回路６４を通して、光ディスクＤに信号を記録する。
【００２２】
又、データ読出し時は、光ピックアップＰＵＨからの検出信号が信号処理部５６で増幅され、最適イコライザを通して、読取りバッファ５７に送られる。図示しないＰＬＬ回路で作られた読出しクロックで、読取りバッファ５７にチャンネルデータが読み取られる。読み取られたデータは、データ処理部５８で、同期化されシンボルデータが読出される。その後、誤り訂正やデスクランブル処理が行われ、インターフェース６５を介して外部装置等に転送される。
【００２３】
上記のような基本構造及び基本機能を有する光ディスク装置において、以下に詳細に、本発明の実施形態である再生処理における再生速度の変更を考慮した格納情報の取得処理及び再生処理とをフローチャートを用いて、詳細に説明する。
【００２４】
＜第１実施形態に係る光ディスク装置＞
第１実施形態は、前段制御部においてＮＶ＿ＰＣＫ等の管理情報に次のサーチ先アドレスを書き込み、後段制御部においてこの管理情報にサーチ先アドレスがないことを検出して、チャプタの終了を判断し、次チャプタの取り込みに移行する光ディスク装置及び光ディスク処理方法である。
【００２５】
（処理遅延の理由）
本発明の実施形態である光ディスク装置は、コンテンツ情報の取り込み処理をスムーズに行うための手順を示すものである。すなわち、光ディスク装置においては、コンテンツ情報はチャプタ毎にバッファメモリに読み込まれるが、高倍速の場合、必ずしも全てのコンテンツ情報が読み込まれるわけではない。
【００２６】
図２では、光ディスク装置Ａにより、光ディスクＤからの一つのチャプタ内の複数のＶＯＢＵであるＶＯＢＵ＿Ａ乃至ＶＯＢＵ＿Ｐの内、高速読出しで途中のＶＯＢＵを適宜飛び越えて読取りバッファ５７へと読み込んでいく様子が示されている。ここで、読取りバッファ５７への取り込み処理は、図１の前段制御部である制御部６１が、その後の、チャプタ内の最終ＶＯＢＵを判断する処理は、後段制御部であるストリーム制御部６２が行うものである。
【００２７】
又、図３は、図２で示されるように、各ＶＯＢＵの先頭に配置されている管理情報であるナビパック（ＮＶ＿ＰＣＫ）ＮＰに含まれるアドレス情報を、それぞれのＶＯＢＵごとに示した図である。例えば、ＶＯＢＵ  Ａのアドレス情報において、自分のアドレスが１０００、１倍速で再生した場合の次のＶＯＢＵのアドレスが、２０００、４倍速で再生した場合の次のＶＯＢＵのアドレスが、３０００、８倍速で再生した場合の次のＶＯＢＵのアドレスが、５０００であることが示されている。
【００２８】
従って、図２及び図３に示すように、初めに、１倍速が選ばれれば、図３のＶＯＢＵ＿Ａのアドレス情報が示すように、次のＶＯＢＵは、Ｘ１のサーチ先である、アドレス２０００をもつＶＯＢＵ＿Ｂであることがわかる。同様に、ＶＯＢＵ＿Ｂにおいて、次に、４倍速が選ばれれば、Ｘ４のサーチ先であるアドレス４０００をもつＶＯＢＵ＿Ｄが選ばれる。同様に、次に、ＶＯＢＵ＿Ｆが選ばれ、次に、８倍速が選ばれれば、ＶＯＢＵ＿Ｊ、ＶＯＢＵ＿Ｎが選ばれる。そして、前段制御部である制御部６１の制御下において、ピックアップヘッドＰＵＨの働きによりこれらのＶＯＢＵが読み取られ、読取りバッファ５７へと格納される。
【００２９】
ここで、コンテンツ情報の再生処理は、主に２つに分けられる。すなわち、上述した読取りバッファ等や制御部（前段）を用いてコンテンツ情報をバッファに取り込む取り込み処理と、その後、読取りバッファからエンコーダ等に含まれるストリーム制御部等を用いて、コンテンツ情報を読み出しエンコードする処理とに分かれる。ストリーム制御部６２では、例えば、１つのチャプタ内のコンテンツ情報の終了個所を検出し、これを検出すると、再び、前段の制御部６１に１チャプタの終了位置を伝えている。これに応じて、前段の制御部６１は、次のチャプタのコンテンツ情報の読み出しを再開するものである。
【００３０】
このように、前段の制御部でコンテンツ情報を取り込む段階と、後段のストリーム制御部でエンコードする段階とは、異なるタイミングで行われるため、このような読み出し処理を行っている際に、ユーザの操作により、例えば、８倍速から１倍速に再生速度を変えられた場合、以下のような不具合が生じる。
【００３１】
すなわち、後段のストリーム制御部でのコンテンツ情報の終了個所の検出において、８倍速から１倍速に再生速度が変えられた場合でも、読出しバッファから与えられるコンテンツ情報は、以前の８倍速で読み取ったコンテンツ情報となってしまう。従って、ストリーム制御部６２は、現在は１倍速と認識しながら、８倍速で読み出されたコンテンツ情報を対象として、コンテンツ情報の終了個所を検出することとなり、終了個所の検出を失敗するということが起きてくる。
【００３２】
このような不具合を起こさないように、再生速度が変わった段階で（又は再生速度が変わらなくとも）、全ての読取りバッファが空になるまで、次のチャプタの読取り動作は行わない等の処理の制限をする必要が出てくる。しかしながら、このような処理の制限は、読取り速度や、再生速度の低下につながるため、再生処理の遅延を生じさせたり、再生がスムーズに行われないこととなるものである。
【００３３】
第１実施形態では、以下に述べるように、前段制御部においてＮＶ＿ＰＣＫ等の管理情報に次のサーチ先アドレスを書き込み、後段制御部においてこの管理情報にサーチ先アドレスがないことを検出して、チャプタの終了を判断し、次チャプタの取り込みに移行するものである。これにより、チャプタごとに、読取りバッファが空になるのを待機して、コンテンツ情報の取り込みを行う等の必要がなくなるため、取込処理・再生処理をスムーズかつ迅速に行うことができる。
【００３４】
（具体的な処理方法）
図４は、本発明に係る光ディスク装置の第１実施形態である前段制御部の処理動作の一例を示すフローチャート、図５は、後段制御部の処理動作の一例を示すフローチャートである。
【００３５】
図４のフローチャートにおいて、再生指示を受けると、前段制御部である制御部６１の制御により、ピックアップヘッドＰＵＨから照射されたレーザ光の反射光をフォトデテクタＰＤで受光し、これに応じた検出信号がヘッドアンプ等を介し、信号処理部５６等で処理された後に、初めのＶＯＢＵが読取りバッファに供給される。なお、ここで、第３実施形態に後述されるように、チャプタ毎のチャプタ管理情報であるアドレス情報（１つのチャプタのコンテンツ情報のアドレス）を取得することも好適である。初めのＶＯＢＵのＮＶ＿ＰＣＫを検出したら（Ｓ１１）、これを作業メモリＲＡＭ６０等に取り込み（Ｓ１２）、ＮＶ＿ＰＣＫ中のアドレス情報から、現在の再生速度（１倍速、４倍速、８倍速等）に応じた、次にサーチすべきＶＯＢＵのアドレスを読み込む（Ｓ１３）。
【００３６】
ここで、８倍速が選択されていれば、図３に示すように、このアドレスをアドレス情報のリザーブ領域に、サーチ先アドレスとして、“５０００”と追記される（Ｓ１４）。そして、次に、サーチ先アドレスである“５０００”が示すＶＯＢＵ＿Ｅが検出される。サーチ先アドレスが続く限り、ステップＳ１１へと戻り、チャプタ内のコンテンツ情報が全て取り込まれるまで処理が繰り返される。
【００３７】
サーチ先アドレスがなくなれば、ステップＳ１４において、サーチ先アドレスがないことが、リザーブ領域に書き込まれるが、これは、例えば“ＦＦ”というデータがリザーブ領域に書き込まれることが好適である。従って、サーチ先アドレスがなくなれば、後段のストリーム制御部６２からの読取りの開始指示を待って待機することとなる。
【００３８】
一方、図５のフローチャートにおいて、後段制御部であるストリーム制御部６２においては、読取りバッファ５７内に格納されたＶＯＢＵを順に読み出していき、順次、エンコード処理等の再生処理を行うべく制御する。その一方で、そのＶＯＢＵがチャプタの終了であるかどうかを判断し、これを判断すると、次のチャプタの読み込みの開始指示を、前段制御部である制御部６１に与えるものである。
【００３９】
すなわち、ＮＶ＿ＰＣＫを検出すると（Ｓ２１）、ＮＶ＿ＰＣＫ中のアドレス情報のリザーブ領域から、追記アドレスであるサーチ先アドレスを読み出す（Ｓ２２）。ここで、通常のアドレスがあれば終了位置ではなく、ステップＳ２１に戻り、次のＶＯＢＵの処理を継続する。アドレスのない状態、例えば、先に上げた、アドレス“ＦＦ”等の値（終了位置を示す情報であればどのようなものも可能）が検出されれば（Ｓ２３）、チャプタの終了であると判断し、前段制御部６１に、次のチャプタの取り込みを始めるべく開始指示を行う（Ｓ２４）。この処理は、例えば、タイトルエンドが検出されるまで，継続されるものである（Ｓ２５）。
【００４０】
このようにＮＶ＿ＰＣＫのアドレス情報のリザーブ領域を利用して、前段制御部６１と後段制御部６２でサーチ先アドレスを管理することにより、ユーザが再生途中に再生速度を変更しても、後段制御部６２が終了位置を誤認識することがないので、チャプタ毎に読取りバッファ５７を空にする等の対応が必要なくなるため、非常にスムーズな再生処理を可能とするものである。
【００４１】
＜第２実施形態に係る光ディスク装置＞
第２実施形態は、前段制御部においてＮＶ＿ＰＣＫ等の管理情報に取込時の再生倍率を書き込み、後段制御部においてこの管理情報に取込時の再生倍率に応じて、ＮＶ＿ＰＣＫからサーチ先アドレスを探し、サーチ先アドレスがないことを検出して、チャプタの終了を判断し、次チャプタの取り込みに移行する光ディスク装置及び光ディスク処理方法である。
【００４２】
図６は、本発明に係る光ディスク装置の第２実施形態である前段制御部の処理動作の一例を示すフローチャート、図７は、後段制御部の処理動作の一例を示すフローチャートである。
【００４３】
図６のフローチャートにおいて、再生指示を受けると、前段制御部である制御部６１の制御により、ピックアップヘッドＰＵＨから照射されたレーザ光の反射光をフォトデテクタＰＤで受光し、これに応じた検出信号がヘッドアンプ等を介し、信号処理部５６等で処理された後に、初めのＶＯＢＵが読取りバッファに供給される。初めのＶＯＢＵのＮＶ＿ＰＣＫを検出したら（Ｓ３１）、これを作業メモリＲＡＭ６０等に取り込み（Ｓ３２）、ＮＶ＿ＰＣＫ中のアドレス情報から、現在の再生速度（１倍速、４倍速、８倍速等）に応じた、次にサーチすべきＶＯＢＵのアドレスを読み込む（Ｓ３３）。
【００４４】
ここで、８倍速が選択されていれば、図３に示すように、８倍速であることをアドレス情報のリザーブ領域に、例えば“８”と追記する（Ｓ３４）。そして、次に、サーチ先アドレスである“５０００”が示すＶＯＢＵ＿Ｅを検出する。サーチ先アドレスが続く限り、ステップＳ１１へと戻り、チャプタ内のコンテンツ情報が全て取り込まれるまで処理が繰り返される。サーチ先アドレスがなくなれば、後段のストリーム制御部６２からの読取りの開始指示を待って待機することとなる。
【００４５】
一方、図７のフローチャートにおいて、後段制御部であるストリーム制御部６２においては、読取りバッファ５７内に格納されたＶＯＢＵを順に読み出していき、順次、エンコード処理等の再生処理を行うべく制御する。その一方で、そのＶＯＢＵがチャプタの終了であるかどうかを判断し、これを判断すると、次のチャプタの読み込みの開始指示を、前段制御部である制御部６１に与えるものである。
【００４６】
すなわち、ＮＶ＿ＰＣＫを検出すると（Ｓ４１）、ＮＶ＿ＰＣＫ中のアドレス情報のリザーブ領域から、取り込み時の再生倍率を読み出す（Ｓ４２）。そして、この再生倍率に応じたアドレスを、図３に示すＮＶ＿ＰＣＫのアドレス情報から取得する（Ｓ４３）。ここで、アドレスが通常のアドレスがあれば終了位置ではなく、ステップＳ４１に戻り、次のＶＯＢＵの処理を継続する。アドレスのない状態、例えば、先に上げた、アドレス“ＦＦ”等の値（終了位置を示す情報であればどのようなものも可能）が検出されれば（Ｓ４４）、チャプタの終了であると判断し、前段制御部６１に、次のチャプタの取り込みを始めるべく開始指示を行う（Ｓ４５）。この処理は、例えば、タイトルエンドが検出されるまで，継続されるものである（Ｓ４６）。
【００４７】
このようにＮＶ＿ＰＣＫのアドレス情報のリザーブ領域を利用して、前段制御部６１と後段制御部６２でコンテンツ情報の取り込み時の再生倍率を管理することにより、ユーザが再生途中に再生速度を変更しても、後段制御部６２が終了位置を誤認識することがないので、チャプタ毎に読取りバッファ５７を空にする等の対応が必要なくなる。従って、第２実施形態の方法でも、第１実施形態の場合と同様に、再生画像が静止するとの不具合がなくなり、スムーズな再生処理を可能とするものである。
【００４８】
＜第３実施形態に係る光ディスク装置＞
第３実施形態は、前段制御部においてＮＶ＿ＰＣＫ等の管理情報に応じてチャプタの最終コンテンツ情報（ＶＯＢＵ）をチャプタの画像の最後に追加し、後段制御部においてＮＶ＿ＰＣＫ等の１倍速のアドレスを監視してこの最終画像を検出すると、チャプタの終了を判断し、次チャプタの取り込みに移行する光ディスク装置及び光ディスク処理方法である。
【００４９】
図８は、本発明に係る光ディスク装置の第３実施形態である前段制御部の処理動作の一例を示すフローチャート、図９は、後段制御部の処理動作の一例を示すフローチャートである。
【００５０】
図８のフローチャートにおいて、再生指示を受けると、前段制御部である制御部６１の制御により、ピックアップヘッドＰＵＨから照射されたレーザ光の反射光をフォトデテクタＰＤで受光し、これに応じた検出信号がヘッドアンプ等を介し、信号処理部５６等で処理された後に、初めのＶＯＢＵが読取りバッファに供給される。この時、チャプタ毎のチャプタ管理情報であるアドレス情報（１つのチャプタのコンテンツ情報のアドレス）を取得する。初めのＶＯＢＵのＮＶ＿ＰＣＫを検出したら（Ｓ５１）、これを作業メモリＲＡＭ６０等に取り込み（Ｓ５２）、ＮＶ＿ＰＣＫ中のアドレス情報から、現在の再生速度（１倍速、４倍速、８倍速等）に応じた、次にサーチすべきＶＯＢＵのアドレスを読み込む（Ｓ５３）。
【００５１】
そして、次に、サーチ先アドレスである“５０００”が示すＶＯＢＵ＿Ｅを検出する。サーチ先アドレスが続く限り、ステップＳ１１へと戻り、チャプタ内のコンテンツ情報が全て取り込まれるまで処理が繰り返される（Ｓ５４）。
【００５２】
そして、サーチ先アドレスが『なし』となれば、初めに取得してあるチャプタ毎のチャプタ管理情報により、チャプタの最終コンテンツ情報（ＶＯＢＵ）、図３においては、ＶＯＢＵ＿Ｐのコンテンツ情報を取得して、今までに取得したコンテンツ情報の最後に追加する（Ｓ５５）。その後、後段のストリーム制御部６２からの読取りの開始指示を待って待機することとなる。
【００５３】
一方、図９のフローチャートにおいて、後段制御部であるストリーム制御部６２においては、読取りバッファ５７内に格納されたＶＯＢＵを順に読み出していき、順次、エンコード処理等の再生処理を行うべく制御する。その一方で、そのＶＯＢＵがチャプタの終了であるかどうかを判断し、これを判断すると、次のチャプタの読み込みの開始指示を、前段制御部である制御部６１に与えるものである。
【００５４】
すなわち、ＮＶ＿ＰＣＫを検出すると（Ｓ６１）、ＮＶ＿ＰＣＫ中のアドレス情報の１倍速に対応するアドレス情報を取得する（Ｓ６２）。そして、この１倍速に対応するアドレスが通常のアドレスであれば終了位置ではなく、ステップＳ６１に戻り、次のＶＯＢＵの処理を継続する。アドレスのない状態、例えば、先に上げた、アドレス“ＦＦ”等の値（終了位置を示す情報であればどのようなものも可能）が検出されれば（Ｓ６３）、チャプタの終了であると判断し、前段制御部６１に、次のチャプタの取り込みを始めるべく開始指示を行う（Ｓ６４）。この処理は、例えば、タイトルエンドが検出されるまで，継続されるものである（Ｓ６５）。
【００５５】
このように前段制御部６１においてチャプタの最終ＶＯＢＵのコンテンツ情報を読取り情報の最後に追加し、後段制御部６２においてＮＶ＿ＰＣＫの１倍速のアドレス情報のサーチ先『なし』を監視し続けることにより、ユーザが再生途中に再生速度を変更しても、後段制御部６２が終了位置を誤認識することがないので、チャプタ毎に読取りバッファ５７を空にする等の対応が必要なくなる。従って、第１及び第２実施形態の場合と同様に、再生処理の過程で不要な遅延処理が発生することがないため、再生画像が静止するとの不具合がなくなり、スムーズな再生処理を可能とするものである。
【００５６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００５７】
【発明の効果】
以上詳述したように本発明によれば、前段制御部と後段制御部とでＮＶ＿ＰＣＫ等の管理情報のリザーブ領域でサーチ先アドレスを管理する等の方法を用いることで、再生中に再生速度が変更された場合でも、再生速度を誤って終了位置を判断したり、チャプタ毎にバッファが空になることを待機するということがないため、スムーズな再生処理を行うことができる光ディスク装置及び光ディスク再生方法を提供することができる。
【図面の簡単な説明】
【図１】本発明の一実施の形態である光ディスク装置の構成を示すブロック図。
【図２】本発明の一実施の形態である光ディスク装置の読取動作を説明するための説明図。
【図３】本発明の一実施の形態である光ディスク装置が扱う管理情報の一例を示す図。
【図４】本発明に係る光ディスク装置の第１実施形態である前段制御部の処理動作の一例を示すフローチャート。
【図５】本発明に係る光ディスク装置の第１実施形態である後段制御部の処理動作の一例を示すフローチャート。
【図６】本発明に係る光ディスク装置の第２施形態である前段制御部の処理動作の一例を示すフローチャート。
【図７】本発明に係る光ディスク装置の第２施形態である後段制御部の処理動作の一例を示すフローチャート。
【図８】本発明に係る光ディスク装置の第３実施形態である前段制御部の処理動作の一例を示すフローチャート。
【図９】本発明に係る光ディスク装置の第３実施形態である後段制御部の処理動作の一例を示すフローチャート。
【符号の説明】Ａ…光ディスク装置、ＰＤ…フォトデテクタ、ＰＵＨ…ピックアップヘッド、ＬＤ…レーザダイオード、５２…サーボ制御部、５３…アクチュエータドライバ、５５…サーボ制御系各処理回路、５８…データ処理部、５９…ＲＡＭ、６０…ＲＡＭ，ＲＯＭ、６１…ストリーム制御部、６２…制御部。
【図１】
2004362694.tif 000003
【図２】
2004362694.tif 000004
【図３】
2004362694.tif 000005
【図４】
2004362694.tif 000006
【図５】
2004362694.tif 000007
【図６】
2004362694.tif 000008
【図７】
2004362694.tif 000009
【図８】
2004362694.tif 000010
【図９】
2004362694.tif 000011